(57)【要約】【課題】印加電圧の周波数の切り替えにより複数の液晶層の配向をそれぞれ制御することができる表示媒体を提供すること。【解決手段】本発明の表示媒体は、高周波数の記録電圧が印加されたときには、積層液晶層３００に印加される電圧Ｖｂｇが予め設定された電圧値であるときに、分圧されて液晶層２５０Ｂに印加される電圧Ｖｂの電圧値が液晶層２５０Ｂの第１しきい値以上となり、分圧されて液晶層２５０Ｇに印加される電圧Ｖｇの電圧値が液晶層２５０Ｇの第１しきい値未満となる一方、低周波数の記録電圧が印加されたときには、電圧Ｖｂｇが予め設定された電圧値であるときに、電圧Ｖｂの電圧値が液晶層２５０Ｂの第１しきい値未満となり、電圧Ｖｇの電圧値が液晶層２５０Ｇの第１しきい値以上となるように、液晶層２５０Ｂ、２５０Ｇは、各々の第１しきい値、インピーダンスの周波数依存性が設定される。【選択図】図３
2010204578.tif 000002
【特許請求の範囲】
【請求項１】
外部から電圧が印加される一対の電極と、
印加される電圧が予め設定された第１の電圧値以上になると特定の配向状態となる第１の液晶層、および印加される電圧が予め設定された第２の電圧値以上になると特定の配向状態となる第２の液晶層が積層された積層液晶層であって、前記電極に電圧が印加されると、前記第１の液晶層および前記第２の液晶層が分圧した電圧が各々に対して印加されるように、前記一対の電極間に設けられる積層液晶層と
を具備し、
前記電極への印加電圧が、第１の周波数であり、予め設定された電圧値であるときには、前記第１の液晶層への印加電圧が前記第１の電圧値以上となるとともに、前記第２の液晶層への印加電圧が前記第２の電圧値未満となり、
前記電極への印加電圧が、前記第１の周波数より小さい第２の周波数であり、予め設定された電圧値であるときには、前記第１の液晶層への印加電圧が前記第１の電圧値未満となるとともに、前記第２の液晶層への印加電圧が前記第２の電圧値以上となる
ことを特徴とする表示媒体。
【請求項２】
前記第１の液晶層のインピーダンスは、前記第１の周波数においては、前記第２の液晶層のインピーダンスより大きく、前記第２の周波数においては、前記第２の液晶層のインピーダンスより小さい
ことを特徴とする請求項１に記載の表示媒体。
【請求項３】
前記積層液晶層に積層され、光が照射されると抵抗値が減少する感光層であって、前記電極に電圧が印加されると、前記第１の液晶層、前記第２の液晶層および前記感光層が分圧した電圧が各々に対して印加されるように、前記一対の電極間に設けられる感光層とをさらに具備し、
前記電極への印加電圧が、第１の周波数であり、予め設定された電圧値であるときには、前記第１の液晶層への印加電圧は前記第１の電圧未満となるとともに、前記第２の液晶層への印加電圧は前記第２の電圧未満となり、前記感光層に光が照射されると、前記第１の液晶層への印加電圧が前記第１の電圧値以上となるとともに、前記第２の液晶層への印加電圧が前記第２の電圧値未満となり、
前記電極への印加電圧が、前記第２の周波数であり、予め設定された電圧値であるときには、前記第１の液晶層への印加電圧は前記第１の電圧未満となるとともに、前記第２の液晶層への印加電圧は前記第２の電圧未満となり、前記感光層に光が照射されると、前記第１の液晶層への印加電圧が前記第１の電圧値未満となるとともに、前記第２の液晶層への印加電圧が前記第２の電圧値以上となる
ことを特徴とする請求項１または請求項２に記載の表示媒体。
【請求項４】
前記第１の液晶層および前記第２の液晶層は、前記特定の配向状態とは異なる配向状態であるときに、互いに異なる波長分布の光を反射する
ことを特徴とする請求項１乃至請求項３のいずれかに記載の表示媒体。
【請求項５】
画像を示す画像情報を取得する取得手段と、
請求項１乃至請求項４のいずれかに記載の表示媒体の電極に対して、前記取得手段によって取得された画像情報に応じて、周波数を切り替えて電圧を印加する電圧印加手段と、
前記電圧印加手段によって電圧が印加されると、前記表示媒体に対して、前記取得手段によって取得された画像情報に応じた光を照射する光照射手段と
を具備することを特徴とする記録装置。
【請求項６】
前記電圧印加手段は、前記第１の液晶層および前記第２の液晶層を前記特定の配向状態とは異なる配向状態とするときには、第１の周波数以上の電圧を印加する
ことを特徴とする請求項５に記載の記録装置。
【発明の詳細な説明】
【技術分野】
【０００１】
本発明は、表示媒体および記録装置に関する。
【背景技術】
【０００２】
光記録型表示媒体に光を照射することにより画像を記録する技術において、一対の電極間に複数の液晶層が積層された表示層を有し、各液晶層の配向状態が変化するしきい値電圧を異ならせることにより、カラー表示可能な表示媒体が開示されている（例えば、特許文献１）。
【先行技術文献】
【特許文献】
【０００３】
【特許文献１】特開２０００−１１１９４２号公報
【発明の概要】
【発明が解決しようとする課題】
【０００４】
本発明は、印加電圧の周波数の切り替えにより複数の液晶層の配向をそれぞれ制御することができる表示媒体を提供することを目的とする。
【課題を解決するための手段】
【０００５】
本発明の請求項１に係る表示媒体は、外部から電圧が印加される一対の電極と、印加される電圧が予め設定された第１の電圧値以上になると特定の配向状態となる第１の液晶層、および印加される電圧が予め設定された第２の電圧値以上になると特定の配向状態となる第２の液晶層が積層された積層液晶層であって、前記電極に電圧が印加されると、前記第１の液晶層および前記第２の液晶層が分圧した電圧が各々に対して印加されるように、前記一対の電極間に設けられる積層液晶層とを具備し、前記電極への印加電圧が、第１の周波数であり、予め設定された電圧値であるときには、前記第１の液晶層への印加電圧が前記第１の電圧値以上となるとともに、前記第２の液晶層への印加電圧が前記第２の電圧値未満となり、前記電極への印加電圧が、前記第１の周波数より小さい第２の周波数であり、予め設定された電圧値であるときには、前記第１の液晶層への印加電圧が前記第１の電圧値未満となるとともに、前記第２の液晶層への印加電圧が前記第２の電圧値以上となることを特徴とする。
【０００６】
本発明の請求項２に係る表示媒体は、請求項１の構成において、前記第１の液晶層のインピーダンスは、前記第１の周波数においては、前記第２の液晶層のインピーダンスより大きく、前記第２の周波数においては、前記第２の液晶層のインピーダンスより小さいことを特徴とする。
【０００７】
本発明の請求項３に係る表示媒体は、請求項１または請求項２の構成において、前記積層液晶層に積層され、光が照射されると抵抗値が減少する感光層であって、前記電極に電圧が印加されると、前記第１の液晶層、前記第２の液晶層および前記感光層が分圧した電圧が各々に対して印加されるように、前記一対の電極間に設けられる感光層とをさらに具備し、前記電極への印加電圧が、第１の周波数であり、予め設定された電圧値であるときには、前記第１の液晶層への印加電圧は前記第１の電圧未満となるとともに、前記第２の液晶層への印加電圧は前記第２の電圧未満となり、前記感光層に光が照射されると、前記第１の液晶層への印加電圧が前記第１の電圧値以上となるとともに、前記第２の液晶層への印加電圧が前記第２の電圧値未満となり、前記電極への印加電圧が、前記第２の周波数であり、予め設定された電圧値であるときには、前記第１の液晶層への印加電圧は前記第１の電圧未満となるとともに、前記第２の液晶層への印加電圧は前記第２の電圧未満となり、前記感光層に光が照射されると、前記第１の液晶層への印加電圧が前記第１の電圧値未満となるとともに、前記第２の液晶層への印加電圧が前記第２の電圧値以上となることを特徴とする。
【０００８】
本発明の請求項４に係る表示媒体は、請求項１乃至請求項３のいずれかの構成において、前記第１の液晶層および前記第２の液晶層は、前記特定の配向状態とは異なる配向状態であるときに、互いに異なる波長分布の光を反射することを特徴とする。
【０００９】
本発明の請求項５に係る記録装置は、画像を示す画像情報を取得する取得手段と、請求項１乃至請求項４のいずれかに記載の表示媒体の電極に対して、前記取得手段によって取得された画像情報に応じて、周波数を切り替えて電圧を印加する電圧印加手段と、前記電圧印加手段によって電圧が印加されると、前記表示媒体に対して、前記取得手段によって取得された画像情報に応じた光を照射する光照射手段とを具備することを特徴とする。
【００１０】
本発明の請求項６に係る記録装置は、請求項５の構成において、前記電圧印加手段は、前記第１の液晶層および前記第２の液晶層を前記特定の配向状態とは異なる配向状態とするときには、第１の周波数以上の電圧を印加することを特徴とする。
【発明の効果】
【００１１】
本発明の請求項１に記載の発明によれば、印加される電圧の周波数の切り替えることにより複数の液晶層の配向をそれぞれ制御することができる。
本発明の請求項２に記載の発明によれば、同構成を有さない場合に比べ、複数の液晶層を容易に作製することができる。
本発明の請求項３に記載の発明によれば、光を照射して画像を記録することができる。
本発明の請求項４に記載の発明によれば、カラーの画像を記録することができる。
本発明の請求項５に記載の発明によれば印加される電圧の周波数の切り替えることにより複数の液晶層の配向をそれぞれ制御することができる。
本発明の請求項６に記載の発明によれば、前記電圧印加手段によって印加する電圧を第１の周波数未満とする場合に比べて、複数の液晶層の反射率を高くすることができる。
【図面の簡単な説明】
【００１２】
【図１】実施形態に係る記録装置の構成を示すブロック図である。
【図２】実施形態に係る電子ペーパの構成を示す図である。
【図３】積層液晶層の等価回路の一例を示す図である。
【図４】液晶層２５０Ｂ、２５０Ｇのインピーダンスの周波数依存性を示す図である。
【図５】高周波数の記録電圧印加における液晶層２５０Ｂ，２５０Ｇの反射率特性の一例を示す図である。
【図６】低周波数の記録電圧印加における液晶層２５０Ｂ、２５０Ｇの反射率特性の一例を示す図である。
【図７】液晶層２５０Ｒの反射率特性の一例を示す図である。
【図８】液晶層２５０Ｂ、２５０Ｇの配向状態の変化を示す図である。
【発明を実施するための形態】
【００１３】
以下、本発明の一実施形態について説明する。
【００１４】
＜実施形態＞
図１は、本発明の実施形態に係る記録装置１００の構成を示すブロック図である。記録装置１００は、記録装置１００に保持された電子ペーパ２００に対して、画像情報に応じた画像を記録する装置である。記録装置１００は、制御部１１０、操作部１２０、光照射部１３０、電圧印加部１４０および情報取得部１５０を備える。
【００１５】
制御部１１０は、ＣＰＵ（Central Processing Unit）などの演算装置やメモリなどの記憶手段を備え、記録装置１００の各部の動作を制御する。操作部１２０は、利用者が記録装置１００に対して選択、確認、取り消しなどの指示を行うための操作を行うタッチパネル、キーボードなどの操作手段であって、操作内容を示す情報を制御部１１０に出力する。
【００１６】
光照射部１３０は、電子ペーパ２００に対して画像を記録するときに、光を照射する光源を有している。この光源は半導体レーザなどであって、光源から発生した光を、回転するポリゴンミラーなどの反射物に反射させて、電子ペーパ２００の画像を表示する単位である画素に対してスポット上の光を照射する。光照射部１３０は、制御部１１０の制御により、スポット状の光が電子ペーパ２００を走査して照射するように制御される。なお、この光源は、複数のＬＥＤ（Light Emitting Diode）が線状に配置され、画像を記録する解像度に応じた範囲に各ＬＥＤの光を収束するレンズを備えたＬＥＤアレイであってもよいし、面状の光源であってもよい。この例においては、光照射部１３０から照射される記録光は、赤色または青色に対応する波長の光を用い、制御部１１０の制御によって発光させる色が切り替えられる。
【００１７】
電圧印加部１４０は、電極を有し、制御部１１０の制御により、電極を介して電子ペーパ２００に記録電圧を印加する。記録装置１００に電子ペーパ２００が保持されているときに、電圧印加部１４０が記録電圧を発生させると、その記録電圧は、後述する透明電極２２０、２６０間、または後述する透明電極２２２、２６２間に印加される。いずれの電極間に記録電圧を印加するかは、制御部１１０の制御によって決定される。また、電圧印加部１４０からの印加電圧は、制御部１１０により予め設定された態様で周波数、電圧値が変化するように制御され、この変化は光照射部１３０における記録光の照射と同期するように制御されている。
【００１８】
情報取得部１５０は、図示しない記憶手段、外部装置から、制御プログラム、画像を示す画像情報など各種情報を取得する。この例においては、有線、無線などによる通信手段を用いて外部装置からの情報取得の機能を実現している。なお、外部装置より、各種情報を取得する手段は、通信手段に限らず、ＵＳＢメモリ、メモリカードなどの半導体メモリ、ＣＤ、ＤＶＤなどの光ディスクなどから取得するインターフェースであってもよい。以上が記録装置１００の構成についての説明である。
【００１９】
図２は、本発明の実施形態に係る光記録型の表示媒体である電子ペーパ２００の構成を示す図である。電子ペーパ２００は、予め設定された記録電圧が印加されているときに照射された記録光に応じて記録される画像を表示する光記録型表示媒体であって、フィルム基板２７０、２１２に挟まれた第１表示層４００、およびフィルム基板２１２、２１０に挟まれた第２表示層４２０を有する。第１表示層４００は、透明電極２２０、２６０、光導電層２３０、積層液晶層３００（液晶層２５０Ｂ、２５０Ｇ）を有する。第２表示層４２０は、透明電極２２２、２６２、光導電層２３２、液晶層２５０Ｒを有する。
【００２０】
フィルム基板２１０、２１２、２７０は、電子ペーパ２００の表面の保護、形状の支持などのために設けられた層である。例えば、ＰＥＴ（ポリエチレンテレフタレート）である。フィルム基板２７０は、記録された画像を使用者が観察する側に設けられている。
【００２１】
透明電極２２０、２２２、２６０、２６２、は、例えば、ＩＴＯ（酸化インジウム錫）を有する層である。透明電極２２０、２２２、２６０、２６２、のそれぞれは、図示しない電極に接続されている。この電極は、記録装置１００に電子ペーパ２００が保持されているときには、電圧印加部１４０の電極と接続される。その状態で電圧印加部１４０から電極を介して電圧が印加されると、上述したように、透明電極２２０、２６０間、または透明電極２２２、２６２間に電圧が印加される。
【００２２】
光導電層２３０、２３２は、照射される記録光が照射されると、光電荷が発生して導電率を異ならせる導電体を有する感光層であって、例えば、有機光導電体を用いる。光導電層２３０は、この例においては、赤色を透過し、青色と緑色の電荷発生物質を有することより青色および緑色の光を吸収する構成となっている。一方、光導電層２３２は、青色と緑色を透過し、赤色の電荷発生物質を有することより赤色の光を吸収する構成となっている。
【００２３】
光導電層２３０、２３２は、記録光を吸収すると、吸収した部分の抵抗値が低下する。したがって、電圧印加部１４０によって透明電極２２０、２６０間に電圧が印加されているときには、その電圧は光導電層２３０と積層液晶層３００とによって分圧されるが、光導電層２３０の抵抗値が低下すると、積層液晶層３００の分圧比が増加し、光導電層２３０の分圧比が低下する。また、電圧印加部１４０によって透明電極２２２、２６２間に電圧が印加されているときに、光導電層２３２と液晶層２５０Ｒとによって分圧されるが、光導電層２３２の抵抗値が低下すると、液晶層２５０Ｒの分圧比が増加し、光導電層２３２の分圧比が低下する。
【００２４】
液晶層２５０Ｂ、２５０Ｇ、２５０Ｒは、印加される電圧に応じて配向が変化することにより光の反射状態を異ならせる素子を含み、バインダー樹脂中にマイクロカプセル状のコレステリック液晶素子（以下、液晶という）を分散させたものである。液晶は、電圧が印加されていないときの配向状態として、プレーナ配向状態とフォーカルコニック配向状態とになりうる。液晶は、プレーナ配向状態の場合は光を反射して、あらかじめ決められた色を呈し、フォーカルコニック配向状態にある場合は光を透過する。この例においては、液晶層２５０Ｂ、２５０Ｇ、２５０Ｒは、それぞれ青色、緑色、赤色を反射する材料を調整した液晶を有し、プレーナ配向状態である場合には、入射光に対して、それぞれ青色、緑色、赤色と異なる波長分布の光を選択反射する。これらの配向状態の制御については後述する。
【００２５】
図３は、積層液晶層３００の等価回路の一例を示す図である。積層液晶層３００について、図３を用いて説明する。図に示す電圧Ｖｂｇは、電圧印加部１４０から透明電極２２０、２６０に記録電圧が印加されたときに、第１表示層４００に対して分圧される電圧である。また、電圧Ｖｂ、Ｖｇは、液晶層２５０Ｂ、２５０Ｇが電圧Ｖｂｇを分圧したときに、液晶層２５０Ｂ、２５０Ｇの各々に対して印加される電圧である。
【００２６】
液晶層２５０Ｂの等価回路は、抵抗ＲｂとコンデンサＣｂが並列に接続され、液晶層２５０Ｇの等価回路は、抵抗ＲｇとコンデンサＣｇが並列に接続されている。
【００２７】
抵抗Ｒｂは、例えば液晶層２５０Ｂがシアノ系の材料などを有していることより、その材料を有していない場合に比べて低抵抗値となっている。一方、抵抗Ｒｇは、例えば液晶２５０Ｇがフッ素系の材料などを有していることより、その材料を有していない場合に比べて高抵抗値となっている。この例においては、抵抗Ｒｂ、Ｒｇの抵抗値の関係は、Ｒｂ＜Ｒｇとなっている。また、コンデンサＣｇは、例えば液晶層２５０Ｇが負の誘電率異方性液晶を有していることより、その材料を有していない場合に比べて高静電容量となっている。したがって、コンデンサＣｂ、Ｃｇの静電容量の関係は、Ｃｂ＜Ｃｇとなっている。なお、このような抵抗Ｒｂ、Ｒｇの抵抗値の関係、コンデンサＣｂ、Ｃｇの静電容量の関係を実現する上記材料は一例であって、これに限られるものではない。
【００２８】
図４は、液晶層２５０Ｂ、２５０Ｇのインピーダンスの周波数依存性を示す図である。図４に示すように、周波数ｆｃより小さい周波数においては、液晶層２５０Ｂのインピーダンスが液晶層２５０Ｇのインピーダンスより小さいが、周波数ｆｃより大きい周波数においては、液晶層２５０Ｂのインピーダンスが液晶層２５０Ｇのインピーダンスより大きくなる。これは、コンデンサＣｂ、Ｃｇの静電容量の違いにより、液晶層２５０Ｂのインピーダンスと液晶層２５０Ｇのインピーダンスとの周波数依存性が異なることによる。すなわち、静電容量が大きいコンデンサＣｇをもつ液晶層２５０Ｇの方が、液晶層２５０Ｂに比べて、印加電圧の周波数の増加に伴うインピーダンスの減少が大きくなることによる。
【００２９】
また、液晶層２５０Ｂ、２５０Ｇ、２５０Ｒは、各々に印加される電圧（例えば、液晶層２５０Ｂであれば電圧Ｖｂ）の電圧値が予め設定された第１しきい値以上になると、元の配向状態（プレーナ配向状態またはフォーカルコニック配向状態）からフォーカルコニック配向状態となり、さらに、第２しきい値以上になると、ホメオトロピック配向状態となる。この状態で電圧Ｖｂへの印加が停止されるとプレーナ配向状態となるように構成されている。
【００３０】
図３に戻って説明を続ける。上述のように、インピーダンスが周波数依存性をもつことにより、液晶層２５０Ｂ、２５０Ｇの電圧Ｖｂ、Ｖｇの比は、電圧印加部１４０から印加される記録電圧の周波数により異なるものとなる。例えば、記録電圧が周波数ｆｃより大きい周波数（例えば５０Ｈｚ）にすると電圧Ｖｂ、Ｖｇの電圧値は、Ｖｂ＞Ｖｇの関係になる。一方、記録電圧が周波数ｆｃより小さい周波数（例えば１Ｈｚ）にすると電圧Ｖｂ、Ｖｇは、Ｖｂ＜Ｖｇの関係になる。なお、この例においては、周波数ｆｃより大きい周波数、すなわち電圧Ｖｂが電圧Ｖｇより大きくなる記録電圧の周波数を、単に高周波数といい、周波数ｆｃより小さい周波数、すなわち電圧Ｖｂが電圧Ｖｇより小さくなる記録電圧の周波数を、単に低周波数という。
【００３１】
次に、図５、図６、図７を用いて、第１表示層４００と第２表示層４２０の各画素における液晶配向状態の制御の一例について説明する。
【００３２】
図５は、高周波数の記録電圧を印加したときの液晶層２５０Ｂ、２５０Ｇの反射率特性の一例を示す図である。図６は、低周波数の記録電圧を印加したときの液晶層２５０Ｂ、２５０Ｇの反射率特性の一例を示す図である。それぞれの図の縦軸は、液晶層２５０Ｂ、２５０Ｇの反射率であり、横軸は、積層液晶層３００、すなわち液晶層２５０Ｂ、２５０Ｇ全体に印加される電圧Ｖｂｇ（＝電圧Ｖｂ＋電圧Ｖｇ）を示している。図７は、液晶層２５０Ｒの反射率特性を示す図である。図の縦軸は、液晶層２５０Ｒの反射率であり、横軸は、液晶層２５０Ｒに印加される電圧を示している。
【００３３】
図５に示すように、積層液晶層３００に印加される高周波数の電圧Ｖｂｇの電圧値が増加し、しきい値ＶＢｐｆを超えると、電圧Ｖｂが液晶層２５０Ｂの第１しきい値以上となり、液晶層２５０Ｂはフォーカルコニック配向状態となる。そして、電圧Ｖｂｇの電圧値がしきい値ＶＧｐｆを超えると、電圧Ｖｇが液晶層２５０Ｇの第１しきい値以上となり液晶層２５０Ｇもフォーカルコニック配向状態となる。さらに電圧Ｖｂｇの電圧値が増加し、しきい値ＶＢｆｈを超えると、電圧Ｖｂが液晶層２５０Ｂの第２しきい値以上となり、液晶層２５０Ｂはホメオトロピック配向状態となる。そして、電圧Ｖｂｇの電圧値がしきい値ＶＧｆｈを超えると、電圧Ｖｇが液晶層２５０Ｇの第２しきい値以上となり液晶層２５０Ｇもホメオトロピック配向状態となる。
【００３４】
上述したように、積層液晶層３００に高周波数の電圧Ｖｂｇが印加されているときには、液晶層２５０Ｂに印加される電圧Ｖｂの電圧値と液晶層２５０Ｇに印加される電圧Ｖｇの電圧値の関係は、Ｖｂ＞Ｖｇとなっている。一方、積層液晶層３００に低周波数の電圧Ｖｂｇが印加されているときには、液晶層２５０Ｂに印加される電圧Ｖｂの電圧値と液晶層２５０Ｇに印加される電圧Ｖｇの電圧値の関係は、Ｖｂ＜Ｖｇとなっている。このように、印加する電圧の周波数を変えると、液晶層２５０Ｂと液晶層２５０Ｇとの分圧のされ方が変わって、電圧Ｖｂｇの電圧値が変化しなくても、電圧Ｖｂの電圧値と電圧Ｖｇの電圧値は変化する。したがって、液晶層２５０Ｂおよび液晶層２５０Ｇの第１、第２しきい値が変化していなくても、電圧Ｖｂｇに対しての各しきい値（ＶＢｐｆ、ＶＧｐｆ）は変化することになる。
【００３５】
そのため、積層液晶層３００に印加される電圧Ｖｂｇが低周波数であるときには、図６に示すように、上述の電圧Ｖｂｇに対する各しきい値（ＶＢｐｆ、ＶＧｐｆ）の大小関係とは異なるものとなる。すなわち、積層液晶層３００に印加される低周波数の電圧Ｖｂｇの電圧値が増加し、しきい値ＶＧｐｆを超えると、液晶層２５０Ｇはフォーカルコニック配向状態となり、しきい値ＶＢｐｆを超えると、液晶層２５０Ｂもフォーカルコニック配向状態となる。
【００３６】
液晶層２５０Ｒについては、図７に示すように、液晶層２５０Ｒに印加される電圧の電圧値が増加し、しきい値ＶＧｐｆを超えると、液晶層２５０Ｒはフォーカルコニック配向状態となり、さらに電圧が増加し、しきい値ＶＲｆｈを超えると、液晶層２５０Ｒはホメオトロピック配向状態となる。そして、ホメオトロピック配向状態において、電圧の印加を停止すると、ホメオトロピック配向状態は、プレーナ配向状態に変化し、プレーナ配向状態として維持され安定する。以上が、電子ペーパ２００の構成についての説明である。
【００３７】
次に、記録装置１００における電子ペーパ２００への画像の記録動作について、図５、図６、図７を用いて説明する。記録装置１００は、電子ペーパ２００を保持し、操作部１２０の操作などによって画像の記録指示がされると、制御部１１０は、カラーの画像を示す画像情報を取得し、電子ペーパ２００への画像の記録処理を開始する。
【００３８】
まず、図７を用いて赤色成分の画像の記録について説明する。第２表示層４２０に対する制御を行って、画像の赤色成分の記録が行われる。制御部１１０は、電圧印加部１４０を制御して、透明電極２２２、２６２間に記録電圧Ｖ３を印加させると、光導電層２３２と液晶層２５０Ｒとによって分圧され、液晶層２５０Ｒには、電圧値Ｖ３Ｌの電圧が印加される。
【００３９】
そして、制御部１１０は、画像情報の赤色成分の情報に応じて、光照射部１３０から赤色の記録光を照射させると、光導電層２３２の抵抗が低下し、液晶層２５０Ｒによって分圧される電圧値が増加する。ここで、記録光の照射は、フィルム基板２１０側から行われる。なお、フィルム基板２７０側から記録光を照射するように光照射部１３０を構成してもよい。
【００４０】
これにより、液晶層２５０Ｒのうち、記録光が照射された領域については、印加される電圧が電圧値Ｖ３Ｈに増加する。そして、記録電圧Ｖ３の印加を停止すると、記録光が照射された部分の液晶層２５０Ｒがプレーナ配向状態となり、赤色を選択反射する状態となり、記録光が照射されなかった部分はフォーカルコニック配向状態となる。なお、画像の記録前にすでに記録されている画像を消去するなどのリセット処理を行ってもよい。
【００４１】
ここで、光導電層２３０は赤色の光を透過するから、フィルム基板２７０側から入射する外光のうち、赤色の光が液晶層２５０Ｒに到達し、液晶層２５０Ｒのプレーナ配向状態の部分において反射される赤色の光は、再びフィルム基板２７０から放射される。一方、液晶層２５０Ｒのフォーカルコニック配向状態の部分において透過する赤色の光は、光導電層２３２において吸収される。なお、光導電層２３２における赤色の光の吸収率が黒色を呈するには低い吸収率である場合には、記録光の光導電層２３２への入射の妨げにならない層、例えば、フィルム基板２１０側から記録光が入射される構成である場合には、光導電層２３２と液晶層２５０Ｒとに挟まれる層に、赤色の光を吸収する光吸収層を設けてもよい。
【００４２】
次に、第１表示層４００に対する制御を行って、画像の青色成分、緑色成分の記録が行われる。以下の説明においては、プレーナ配向状態をＰとし、フォーカルコニック配向状態をＦとし、液晶層２５０Ｂと２５０Ｇとの配向状態の関係を例えば（Ｐ，Ｐ）のように示す。ここで、液晶層２５０Ｂ、２５０Ｇの配向状態の組み合わせは、（Ｐ，Ｐ）、（Ｐ，Ｆ）、（Ｆ，Ｐ）、（Ｆ，Ｆ）の４通りである。この４通りの液晶配向状態にするための制御について説明する。
【００４３】
まず、図５を用いて青色成分の画像の記録について説明する。制御部１１０は、電圧印加部１４０を制御して、透明電極２２０、２６０間に高周波数の記録電圧Ｖ１を印加させると、光導電層２３０と積層液晶層３００とによって分圧され、積層液晶層３００に印加される電圧Ｖｂｇは、電圧値ＨＶ１Ｈ（ＶＢｆｈ、ＶＧｆｈ＜ＨＶ１Ｈ）となる。この状態において、液晶層２５０Ｂ、２５０Ｇは、それぞれホメオトロピック配向状態となる。
【００４４】
そして、記録電圧Ｖ１の印加を停止すると、液晶層２５０Ｂ、２５０Ｇのホメオトロピック配向状態は、プレーナ配向状態となり、これらの配向状態（Ｐ，Ｐ）は維持される。なお、この動作において、光照射部１３０から記録光を照射させ、光導電層２３０の抵抗値を低下させ、積層液晶層３００の分圧比が増加することによって電圧Ｖｂｇの電圧値を増加させて、電圧値ＨＶ１Ｈとなるようにしてもよい。なお、この動作においては、記録電圧Ｖ１の周波数は、低周波数で行ってもよいが、高周波数で行うことにより、液晶層２５０Ｂ、２５０Ｇ内の不純物イオンや水分に影響されにくくなり、プレーナ配向状態における反射率がより高くなる。また、記録電圧Ｖ１の周波数は、後述する記録電圧ＨＶ２の周波数より高いものであってもよい。
【００４５】
次に、制御部１１０は、電圧印加部１４０を制御して、透明電極２２０、２６０間に高周波数の記録電圧ＨＶ２を印加させると、光導電層２３０と積層液晶層３００とによって分圧され、積層液晶層３００に印加される電圧Ｖｂｇは、電圧値ＨＶ２Ｌ（ＨＶ２Ｌ＜ＶＢｐｆ、ＶＧｐｆ）となる。この状態においては、液晶層２５０Ｂ、２５０Ｇは、配向状態（Ｐ，Ｐ）が維持されている。
【００４６】
次に、制御部１１０は、画像情報の青色成分の情報に応じて、光照射部１３０から青色（緑色でもよい）の記録光を照射させると、光導電層２３０の抵抗が低下し、積層液晶層３００の分圧比が増加する。ここで、記録光の照射は、フィルム基板２１０側から行われる。なお、フィルム基板２７０側から記録光を照射するように光照射部１３０を構成してもよい。
【００４７】
これにより、積層液晶層３００のうち、記録光が照射された領域については、印加される電圧Ｖｂｇが電圧値ＨＶ２Ｈ（ＶＢｐｆ＜ＨＶ２Ｈ＜ＶＧｐｆ）に増加して、記録光が照射された部分の液晶層２５０Ｂは、フォーカルコニック配向状態となる。すなわち、液晶層２５０Ｂ、２５０Ｇの配向状態は、記録光が照射されていない部分は（Ｐ，Ｐ）となり、記録光が照射された部分は（Ｆ，Ｐ）となる。そして、記録電圧ＨＶ２の印加が停止されても、これらの配向状態は維持される。
【００４８】
次に、図６を用いて緑色成分の画像の記録について説明する。制御部１１０は、電圧印加部１４０を制御して、透明電極２２０、２６０間に低周波数の記録電圧ＬＶ２を印加させると、光導電層２３０と積層液晶層３００とによって分圧され、積層液晶層３００に印加される電圧Ｖｂｇは、電圧値ＬＶ２Ｌ（ＬＶ２Ｌ＜ＶＧｐｆ、ＶＢｐｆ）となる。この状態において、液晶層２５０Ｂ、２５０Ｇの配向状態は、それぞれ、上記の配向状態（（Ｐ，Ｐ）、（Ｆ，Ｐ）のいずれか）を保っている。
【００４９】
そして、制御部１１０は、画像情報の緑色成分の情報に応じて、光照射部１３０から青色（緑色でもよい）の記録光を照射させると、光導電層２３０の抵抗が低下し、積層液晶層３００の分圧比が増加する。ここで、記録光の照射は、フィルム基板２１０側から行われる。なお、フィルム基板２７０側から記録光を照射するように光照射部１３０を構成してもよい。
【００５０】
これにより、積層液晶層３００のうち、記録光が照射された領域については、印加される電圧Ｖｂｇが電圧値ＬＶ２Ｈ（ＶＧｐｆ＜ＬＶ２Ｈ＜ＶＢｐｆ）に増加する。これにより、記録光が照射された部分の液晶層２５０Ｇは、フォーカルコニック配向状態となる。すなわち、配向状態が（Ｆ，Ｐ）であった部分のうち、記録光が照射された部分は（Ｆ，Ｆ）となり、（Ｐ，Ｐ）であった部分のうち、記録光が照射された部分は、（Ｐ，Ｆ）となる。一方、記録光が照射されなかった部分は、元の配向状態（（Ｐ，Ｐ）、（Ｆ，Ｐ）のいずれか）となる。そして、記録電圧ＬＶ２の印加が停止されても、これらの配向状態は維持される。
【００５１】
図８は、液晶層２５０Ｂ、２５０Ｇの液晶配向状態の変化を示している。上述のように処理することにより、図８に示すように、制御部１１０は、画像情報の青色成分および緑色成分に応じて、光照射部１３０および電圧印加部１４０を制御して、高周波数の記録電圧ＨＶ２印加中の記録光照射の有無、および低周波数の記録電圧ＬＶ２印加中の記録光照射の有無によって、液晶層２５０Ｂ、２５０Ｇの配向を（Ｐ，Ｐ）、（Ｐ，Ｆ）、（Ｆ，Ｐ）、（Ｆ，Ｆ）のいずれかの組み合わせとして選択する。
【００５２】
ここで、フィルム基板２７０側から入射した外光のうち、液晶層２５０Ｂ、２５０Ｇにおいて反射せずに透過した光について、上述したように、青色の光および緑色の光は、光導電層２３０において吸収され、赤色の光は、液晶層２５０Ｒにおいて反射するか光導電層２３２において吸収される。なお、光導電層２３０における青色、緑色の光の吸収率が黒色を呈するには低い吸収率である場合には、記録光の光導電層２３０への入射の妨げにならない層、例えば、フィルム基板２１０側から記録光が入射される構成である場合には、光導電層２３０と液晶層２５０Ｇとに挟まれる層に、青色、緑色の光を吸収する光吸収層を設けてもよい。
【００５３】
これにより、液晶層２５０Ｂ、２５０Ｇ、２５０Ｒがすべてフォーカルコニック配向状態の部分は、フィルム基板２７０側からは黒に見えることとなる。その他、液晶層２５０Ｒがプレーナ配向状態であり、液晶層２５０Ｂ、２５０Ｇの配向状態が（Ｐ，Ｐ）であれば白、（Ｐ，Ｆ）であればマゼンタ、（Ｆ，Ｐ）であればイエロー、（Ｆ，Ｆ）であれば赤、液晶層２５０Ｒがフォーカルコニック配向状態であり、液晶層２５０Ｂ、２５０Ｇの配向状態が（Ｐ，Ｐ）であればシアン、（Ｐ，Ｆ）であれば青、（Ｆ，Ｐ）であれば緑に見えることになる。
【００５４】
なお、以上の画像を記録する制御は、この例においては、赤色成分、青色成分、緑色成分の順に行っているが、この順に限られずどのような順番で行ってもよい。
【００５５】
このように、本発明の実施形態に係る光記録型表示媒体である電子ペーパ２００を用いる場合には、記録装置１００は、記録電圧の周波数を切り替えてカラー画像の記録を行う。
【００５６】
以上、本発明の実施形態について説明したが、本発明は以下のように、さまざまな形態で実施可能である。
【００５７】
＜変形例１＞
上述した実施形態において、積層液晶層３００の抵抗Ｒｂ、Ｒｇの抵抗値およびコンデンサＣｂ、Ｃｇの静電容量の関係は、Ｒｂ＜Ｒｇ、Ｃｂ＜Ｃｇであるが、液晶層２５０Ｂと液晶層２５０Ｇの関係を入れ替えて、Ｒｂ＞Ｒｇ、Ｃｂ＞Ｃｇであってもよい。
【００５８】
＜変形例２＞
上述した実施形態において、抵抗Ｒｂ、Ｒｇの抵抗値およびコンデンサＣｂ、Ｃｇの静電容量の関係は、Ｒｂ＜Ｒｇ、Ｃｂ＜Ｃｇであるが、抵抗Ｒｂ，Ｒｇの少なくとも一方の抵抗値が周波数依存性を持つようにして、周波数が増加すると、抵抗Ｒｂの抵抗値が抵抗Ｒｇの抵抗値に比べて増加するように構成して、高周波数における液晶層２５０Ｂのインピーダンスと液晶層２５０Ｇのインピーダンスとの差をより増加させるようにしてもよい。例えば、低周波数でＲｂ＜Ｒｇ、Ｃｂ＜Ｃｇ、高周波数でＲｂ＞Ｒｇ、Ｃｂ＜Ｃｇとなるような構成とすればよい。
【００５９】
＜変形例３＞
上述した実施形態においては、液晶層２５０Ｂのインピーダンスと液晶層２５０Ｇのインピーダンスとは、印加電圧の周波数が周波数ｆｃより大きいか小さいかにより大小関係が逆転するように構成されていたが、必ずしも逆転しなくてもよく、インピーダンスの周波数依存性が異なるようになっていればよい。そして、印加される記録電圧の周波数によって、液晶層２５０Ｂに印加される電圧Ｖｂと液晶層２５０Ｇに印加される電圧Ｖｇとの比が変わるようにして、その結果、図５、図６に示すように、印加される記録電圧の周波数によって、電圧Ｖｂｇに対するしきい値ＶＢｐｆとしきい値ＶＧｐｆとの大小関係が、反転するようになっていればよい。
【００６０】
すなわち、ある第１の周波数の記録電圧が印加されたときには、積層液晶層３００に印加される電圧Ｖｂｇが予め設定された電圧値であるときに、分圧されて液晶層２５０Ｂに印加される電圧Ｖｂの電圧値が液晶層２５０Ｂの第１しきい値以上となり、分圧されて液晶層２５０Ｇに印加される電圧Ｖｇの電圧値が液晶層２５０Ｇの第１しきい値未満となる一方、第１の周波数より小さい第２の周波数の記録電圧が印加されたときには、電圧Ｖｂｇが予め設定された電圧値であるときに、電圧Ｖｂの電圧値が液晶層２５０Ｂの第１しきい値未満となり、電圧Ｖｇの電圧値が液晶層２５０Ｇの第１しきい値以上となるようにすればよい。そして、液晶層２５０Ｂ、２５０Ｇは、この条件を実現するように、各々の第１しきい値の設定、インピーダンスの周波数依存性の設定がされた構成とすればよい。
【００６１】
＜変形例４＞
上述した実施形態においては、液晶層２５０Ｂ、２５０Ｇ、２５０Ｒは、プレーナ配向状態であるときにおいて、それぞれ反射する色が異なり、互いに異なる波長分布の光を反射するように構成されていたが、異なるものとせず、複数の液晶層の反射、透過の制御により階調を制御するようにしてもよい。
【００６２】
＜変形例５＞
上述した実施形態においては、光を照射することにより画像を記録していたが、別の構成により画像を記録してもよい。例えば、透明電極２２０、２２２、２６０、２６２を分割して、分割した透明電極の各々に印加する記録電圧を個々に制御できる構成とすればよい。このようにして、分割された各透明電極に印加する記録電圧の電圧値、周波数を個々に制御し、各透明電極間の液晶層の配向状態を変化させて画像を記録してもよい。この場合は光導電層２３０、２３２が無くてもよい。
【００６３】
＜変形例６＞
上述した実施形態における第１表示層４００は、液晶層２５０Ｂ、２５０Ｇの２層を有していたが、いずれか１層、または反射する色がこれらとは異なる１層の液晶層であってもよい。逆に、第２表示層４２０は、液晶層２５０Ｒの１層であったが、反射する色が異なる液晶層がさらに積層されていてもよい。この場合には、光導電層２３０において透過する色を第２表示層４２０における液晶層において反射する色とすればよい。
【符号の説明】
【００６４】
１００…記録装置、１１０…制御部、１２０…操作部、１３０…光照射部、１４０…電圧印加部、１５０…情報取得部、２００…電子ペーパ、２１０，２１２，２７０…フィルム基板，２２０，２２２，２６０，２６２…透明電極、２３０，２３２…光導電層、２４０…赤吸収層、２５０Ｂ，２５０Ｇ，２５０Ｒ…液晶層、３００…積層液晶層、４００…第１表示層、４２０…第２表示層
【図１】
2010204578.tif 000003
【図２】
2010204578.tif 000004
【図３】
2010204578.tif 000005
【図４】
2010204578.tif 000006
【図５】
2010204578.tif 000007
【図６】
2010204578.tif 000008
【図７】
2010204578.tif 000009
【図８】
2010204578.tif 000010
【手続補正書】
【提出日】平成21年8月12日(2009.8.12)
【手続補正１】
【補正対象書類名】特許請求の範囲
【補正対象項目名】全文
【補正方法】変更
【補正の内容】
【特許請求の範囲】
【請求項１】
画像を示す画像情報を取得する取得手段と、
電圧が印加される一対の電極と、印加される電圧が予め設定された第１の電圧値以上になると特定の配向状態となる第１の液晶層、および印加される電圧が予め設定された第２の電圧値以上になると特定の配向状態となる第２の液晶層が積層された積層液晶層であって、前記電極に電圧が印加されると、前記第１の液晶層および前記第２の液晶層が分圧した電圧が各々に対して印加されるように、前記一対の電極間に設けられる積層液晶層とを具備する表示媒体の前記電極に対して、前記取得手段によって取得された画像情報に応じて、周波数を切り替えて電圧を印加する電圧印加手段と
を有し、
前記電極への印加電圧が、第１の周波数であり、予め設定された電圧値であるときには、前記第１の液晶層への印加電圧が前記第１の電圧値以上となるとともに、前記第２の液晶層への印加電圧が前記第２の電圧値未満となり、
前記電極への印加電圧が、前記第１の周波数より小さい第２の周波数であり、予め設定された電圧値であるときには、前記第１の液晶層への印加電圧が前記第１の電圧値未満となるとともに、前記第２の液晶層への印加電圧が前記第２の電圧値以上となる
ことを特徴とする記録装置。
【請求項２】
前記第１の液晶層のインピーダンスは、前記第１の周波数においては、前記第２の液晶層のインピーダンスより大きく、前記第２の周波数においては、前記第２の液晶層のインピーダンスより小さい
ことを特徴とする請求項１に記載の記録装置。
【請求項３】
前記電圧印加手段によって電圧が印加されると、前記表示媒体に対して、前記取得手段によって取得された画像情報に応じた光を照射する光照射手段をさらに有し、
前記表示媒体は、前記積層液晶層に積層され、光が照射されると抵抗値が減少する感光層であって、前記電極に電圧が印加されると、前記第１の液晶層、前記第２の液晶層および前記感光層が分圧した電圧が各々に対して印加されるように、前記一対の電極間に設けられる感光層をさらに具備し、
前記電極への印加電圧が、第１の周波数であり、予め設定された電圧値であるときには、前記第１の液晶層への印加電圧は前記第１の電圧未満となるとともに、前記第２の液晶層への印加電圧は前記第２の電圧未満となり、前記感光層に光が照射されると、前記第１の液晶層への印加電圧が前記第１の電圧値以上となるとともに、前記第２の液晶層への印加電圧が前記第２の電圧値未満となり、
前記電極への印加電圧が、前記第２の周波数であり、予め設定された電圧値であるときには、前記第１の液晶層への印加電圧は前記第１の電圧未満となるとともに、前記第２の液晶層への印加電圧は前記第２の電圧未満となり、前記感光層に光が照射されると、前記第１の液晶層への印加電圧が前記第１の電圧値未満となるとともに、前記第２の液晶層への印加電圧が前記第２の電圧値以上となる
ことを特徴とする請求項１または請求項２に記載の記録装置。
【請求項４】
前記第１の液晶層および前記第２の液晶層は、前記特定の配向状態とは異なる配向状態であるときに、互いに異なる波長分布の光を反射する
ことを特徴とする請求項１乃至請求項３のいずれかに記載の記録装置。
【請求項５】
前記電圧印加手段は、前記第１の液晶層および前記第２の液晶層を前記特定の配向状態とは異なる配向状態とするときには、前記第１の周波数以上の電圧を印加する
ことを特徴とする請求項１乃至請求項４のいずれかに記載の記録装置。
【手続補正３】
【補正対象書類名】明細書
【補正対象項目名】０００５
【補正方法】変更
【補正の内容】
【０００５】
本発明の請求項１に係る記録装置は、画像を示す画像情報を取得する取得手段と、電圧が印加される一対の電極と、印加される電圧が予め設定された第１の電圧値以上になると特定の配向状態となる第１の液晶層、および印加される電圧が予め設定された第２の電圧値以上になると特定の配向状態となる第２の液晶層が積層された積層液晶層であって、前記電極に電圧が印加されると、前記第１の液晶層および前記第２の液晶層が分圧した電圧が各々に対して印加されるように、前記一対の電極間に設けられる積層液晶層とを具備する表示媒体の前記電極に対して、前記取得手段によって取得された画像情報に応じて、周波数を切り替えて電圧を印加する電圧印加手段とを有し、前記電極への印加電圧が、第１の周波数であり、予め設定された電圧値であるときには、前記第１の液晶層への印加電圧が前記第１の電圧値以上となるとともに、前記第２の液晶層への印加電圧が前記第２の電圧値未満となり、前記電極への印加電圧が、前記第１の周波数より小さい第２の周波数であり、予め設定された電圧値であるときには、前記第１の液晶層への印加電圧が前記第１の電圧値未満となるとともに、前記第２の液晶層への印加電圧が前記第２の電圧値以上となることを特徴とする。
【手続補正４】
【補正対象書類名】明細書
【補正対象項目名】０００６
【補正方法】変更
【補正の内容】
【０００６】
本発明の請求項２に係る記録装置は、請求項１の構成において、前記第１の液晶層のインピーダンスは、前記第１の周波数においては、前記第２の液晶層のインピーダンスより大きく、前記第２の周波数においては、前記第２の液晶層のインピーダンスより小さいことを特徴とする。
【手続補正５】
【補正対象書類名】明細書
【補正対象項目名】０００７
【補正方法】変更
【補正の内容】
【０００７】
本発明の請求項３に係る記録装置は、請求項１または請求項２の構成において、前記電圧印加手段によって電圧が印加されると、前記表示媒体に対して、前記取得手段によって取得された画像情報に応じた光を照射する光照射手段をさらに有し、前記表示媒体は、前記積層液晶層に積層され、光が照射されると抵抗値が減少する感光層であって、前記電極に電圧が印加されると、前記第１の液晶層、前記第２の液晶層および前記感光層が分圧した電圧が各々に対して印加されるように、前記一対の電極間に設けられる感光層をさらに具備し、前記電極への印加電圧が、第１の周波数であり、予め設定された電圧値であるときには、前記第１の液晶層への印加電圧は前記第１の電圧未満となるとともに、前記第２の液晶層への印加電圧は前記第２の電圧未満となり、前記感光層に光が照射されると、前記第１の液晶層への印加電圧が前記第１の電圧値以上となるとともに、前記第２の液晶層への印加電圧が前記第２の電圧値未満となり、前記電極への印加電圧が、前記第２の周波数であり、予め設定された電圧値であるときには、前記第１の液晶層への印加電圧は前記第１の電圧未満となるとともに、前記第２の液晶層への印加電圧は前記第２の電圧未満となり、前記感光層に光が照射されると、前記第１の液晶層への印加電圧が前記第１の電圧値未満となるとともに、前記第２の液晶層への印加電圧が前記第２の電圧値以上となることを特徴とする。
【手続補正６】
【補正対象書類名】明細書
【補正対象項目名】０００８
【補正方法】変更
【補正の内容】
【０００８】
本発明の請求項４に係る記録装置は、請求項１乃至請求項３のいずれかの構成において、前記第１の液晶層および前記第２の液晶層は、前記特定の配向状態とは異なる配向状態であるときに、互いに異なる波長分布の光を反射することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明の請求項５に係る記録装置は、請求項１乃至請求項４のいずれかの構成において、前記電圧印加手段は、前記第１の液晶層および前記第２の液晶層を前記特定の配向状態とは異なる配向状態とするときには、前記第１の周波数以上の電圧を印加することを特徴とする。
【手続補正９】
【補正対象書類名】明細書
【補正対象項目名】００１１
【補正方法】変更
【補正の内容】
【００１１】
本発明の請求項１に記載の発明によれば、印加される電圧の周波数の切り替えることにより複数の液晶層の配向をそれぞれ制御することができる。
本発明の請求項２に記載の発明によれば、同構成を有さない場合に比べ、複数の液晶層を容易に作製することができる。
本発明の請求項３に記載の発明によれば、光を照射して画像を記録することができる。
本発明の請求項４に記載の発明によれば、カラーの画像を記録することができる。
本発明の請求項５に記載の発明によれば、前記電圧印加手段によって印加する電圧を第１の周波数未満とする場合に比べて、複数の液晶層の反射率を高くすることができる。